(57)【要約】  家電製品のレベリング装置及び当該装置を備える家電製品であって、レベリング装置は、家電製品の底部に装着される少なくとも２つのレベリング底脚（１００，３００）を含み、レベリング底脚は固定部（１０２，３０２）と可動部（１０１，３０１）を含み、固定部は家電製品の底部に装着され、可動部の一端は伸縮可能に固定部の内／外に嵌設され、他端は支持面に設けられ、前記固定部と可動部の間には密封室が備わっており、密封室には油圧媒体（４００）が充填されており、少なくとも２つの前記レベリング底脚間は、高圧オイル配管群（２００）を介して密封室が連通しており、油圧媒体が互いに連通するレベリング底脚の密封室間を流動することで、可動部が油圧媒体の流動に伴い伸縮して自動レベリングを行い、高圧オイル配管群を介して連通するレベリング底脚内の油圧媒体が作用する接触面の面積は互いに等しいか、等しくない。当該家電製品のレベリング装置は、重心が幾何中心と一致しない家電製品に適用され、レベリング後に各レベリング底脚が受ける力が均一となる。【選択図】図６
2019527324.tif 000002
【特許請求の範囲】
【請求項１】
家電製品の底部に装着される少なくとも２つのレベリング底脚を含み、
前記レベリング底脚は固定部と可動部を含み、固定部は家電製品の底部に装着され、可動部の一端は伸縮可能に固定部の内／外に嵌設され、他端は支持面に設けられ、前記固定部と可動部の間には密封室が備わっており、密封室には油圧媒体が充填されており、
少なくとも２つの前記レベリング底脚間は、高圧オイル配管群を介して密封室が連通しており、圧力が作用すると、前記油圧媒体が互いに連通するレベリング底脚の密封室間を流動することで、可動部が油圧媒体の流動に伴い伸縮して自動レベリングを行い、
高圧オイル配管群を介して連通する前記レベリング底脚内の油圧媒体が作用する接触面の面積は互いに等しいか、等しくないことを特徴とする家電製品のレベリング装置。
【請求項２】
高圧オイル配管群を介して連通する前記レベリング底脚内の油圧媒体が作用する接触面の面積は、受ける圧力の値に正比例させることを特徴とする請求項１に記載の家電製品のレベリング装置。
【請求項３】
前記固定部はシリンダであり、前記可動部はプランジャ構造であり、シリンダは内部に中空室を備え、プランジャ構造は一端にプランジャを備え、プランジャは、相対的に摺動可能に中空室に設けられるとともに、密封を維持して密封室を形成し、プランジャ構造は他端に支持体を備え、支持体は支持面に設けられており、
高圧オイル配管群を介して連通する前記レベリング底脚のシリンダの内径は互いに等しくないことを特徴とする請求項１に記載の家電製品のレベリング装置。
【請求項４】
高圧オイル配管群を介して連通する前記レベリング底脚のシリンダの内径は、受ける圧力の値に正比例させることを特徴とする請求項３に記載の家電製品のレベリング装置。
【請求項５】
前記レベリング装置は第１レベリング底脚と第２レベリング底脚を含み、第１レベリング底脚と第２レベリング底脚は高圧オイル配管群を介して連通しており、  前記第１レベリング底脚内の油圧媒体が作用する接触面の面積は、第２レベリング底脚内の油圧媒体が作用する接触面の面積よりも大きいことを特徴とする請求項１〜４のいずれかに記載の家電製品のレベリング装置。
【請求項６】
前記レベリング装置は、少なくとも２つの第１レベリング底脚と、少なくとも２つの第２レベリング底脚を含み、第１レベリング底脚と第２レベリング底脚は、高圧オイル配管群を介して連通装置にそれぞれ連通されて、全てのレベリング底脚の密封室同士の連通を実現しており、
前記第１レベリング底脚内の油圧媒体が作用する接触面の面積は、第２レベリング底脚内の油圧媒体が作用する接触面の面積よりも大きいことを特徴とする請求項１〜４のいずれかに記載の家電製品のレベリング装置。
【請求項７】
全ての前記第１レベリング底脚は連通装置の一方の側に位置しており、全ての前記第２レベリング底脚は連通装置の他方の側に位置していることを特徴とする請求項６に記載の家電製品のレベリング装置。
【請求項８】
前記レベリング装置は、１つの第１レベリング底脚と、少なくとも２つの第２レベリング底脚を含み、前記第２レベリング底脚は、それぞれ高圧オイル配管群を介して第１レベリング底脚と連通しており、
前記第１レベリング底脚内の油圧媒体が作用する接触面の面積は、第２レベリング底脚内の油圧媒体が作用する接触面の面積よりも大きいことを特徴とする請求項１〜４のいずれかに記載の家電製品のレベリング装置。
【請求項９】
前記第１レベリング底脚のシリンダ内径ｄ１と第２レベリング底脚のシリンダ内径ｄ２は、前記第１レベリング底脚が受ける圧力をＦＡ、第２レベリング底脚が受ける圧力をＦＢとし、ＦＡ＝λＦＢである場合に、
2019527324.tif 000011
を満たすことを特徴とする請求項５〜８のいずれかに記載の家電製品のレベリング装置。
【請求項１０】
請求項１〜９のいずれかに記載の家電製品のレベリング装置を備える家電製品。
【発明の詳細な説明】
【技術分野】
【０００１】
本発明は家電製品の技術分野に関し、具体的には、家電製品のレベリング装置及び当該装置を備える家電製品に関する。
【背景技術】
【０００２】
洗濯機や冷蔵庫等の家電製品は、床面が平らでないと全体がぐらついてしまう。洗濯機の場合には、このような不安定さから水平状態が変動し、より強い震動につながる恐れがある。また、こうした悪循環によって、洗濯機の使用期間が長くなるほど騒音が増大し、製品に関する消費者のユーザエクスペリエンスが深刻な影響を受けることになる。冷蔵庫の場合には、このような不安定さからコンプレッサの内部圧縮構造やハウジングが振動により損傷し、ユーザエクスペリエンスを著しく低下させる恐れがある。その他の家電製品にもこうした課題は存在する。
【０００３】
一般的に、家電製品はハウジングの底部にレベリング装置が設けられており、家電製品の設置時には、レベリング装置を調節することで安定した設置状態を実現可能である。また、レベリングして設置した後、レベリング装置は安定を維持するように家電製品を支持可能である。
【０００４】
洗濯機の場合を例示すると、一般的に、従来の洗濯機はハウジング又は全体の底部にボルト底脚が装着されている。ボルト底脚は、ボルト、ナットワッシャー及びゴムパッドを含む。ナットワッシャーはボルト上で上下に回転可能とされ、ボルトもまたハウジング底板のネジ孔内で上下に回転可能とされる。底板のネジ孔に対するボルト底脚のボルトねじ込み長さによって洗濯機の高さ調整が実現されるが、大部分の洗濯機では、底脚を反時計回りに回転させることで高さが高くなり、時計回りに回転させることで高さが低くなるよう調整される。当該脚の高さを調整した後に、緩み防止用のナットワッシャーをしっかりと締めることで安定が維持される。
【０００５】
前記洗濯機の底脚の場合、洗濯機のレベリングは実現されるものの、ユーザが手動で調節を行わねばならない。そのため、洗濯機の自重が大きかったり、設置スペースが狭かったりする場合にはユーザの操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００６】
例えば、従来の８ＫＧドラム洗濯機は一般的に８０Ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００７】
このほか、洗濯機が水平でないことに伴う震動によって底脚のネジが緩み、底脚のブラケットが垂直に移動する場合がある。洗濯機の水平状態はこのような不安定性により変動し、一層強い震動を招来し得る。また、こうした悪循環によって、洗濯機の使用期間が長くなるほど騒音が大きくなり、洗濯機自体も一定の損傷を受けることから、使用寿命が短縮してしまう。
【０００８】
上記に鑑みて、本発明を提案する。
【発明の概要】
【発明が解決しようとする課題】
【０００９】
上記の課題を解決するために、本発明の第１の目的は、家電製品のレベリング装置を提供することである。具体的には、以下の技術方案を採用する。
【課題を解決するための手段】
【００１０】
家電製品のレベリング装置であって、家電製品の底部に装着される少なくとも２つのレベリング底脚を含み、前記レベリング底脚は固定部と可動部を含み、固定部は家電製品の底部に装着され、可動部の一端は伸縮可能に固定部の内／外に嵌設され、他端は支持面に設けられ、前記固定部と可動部の間には密封室が備わっており、密封室には油圧媒体が充填されており、少なくとも２つの前記レベリング底脚間は、高圧オイル配管群を介して密封室が連通しており、圧力が作用すると、前記油圧媒体が互いに連通するレベリング底脚の密封室間を流動することで、可動部が油圧媒体の流動に伴い伸縮して自動レベリングを行い、高圧オイル配管群を介して連通する前記レベリング底脚内の油圧媒体が作用する接触面の面積は互いに等しいか、等しくない。
【００１１】
更に、高圧オイル配管群を介して連通する前記レベリング底脚内の油圧媒体が作用する接触面の面積は、受ける圧力の値に正比例させる。
【００１２】
更に、前記固定部はシリンダであり、前記可動部はプランジャ構造であり、シリンダは内部に中空室を備え、プランジャ構造は一端にプランジャを備え、プランジャは、相対的に摺動可能に中空室に設けられるとともに、密封を維持して密封室を形成し、プランジャ構造は他端に支持体を備え、支持体は支持面に設けられており、高圧オイル配管群を介して連通する前記レベリング底脚のシリンダの内径は互いに等しくない。
【００１３】
更に、高圧オイル配管群を介して連通する前記レベリング底脚のシリンダの内径は、受ける圧力の値に正比例させる。
【００１４】
更に、前記レベリング装置は第１レベリング底脚と第２レベリング底脚を含み、第１レベリング底脚と第２レベリング底脚は高圧オイル配管群を介して連通しており、前記第１レベリング底脚内の油圧媒体が作用する接触面の面積は、第２レベリング底脚内の油圧媒体が作用する接触面の面積よりも大きい。
【００１５】
更に、前記レベリング装置は、少なくとも２つの第１レベリング底脚と、少なくとも２つの第２レベリング底脚を含み、第１レベリング底脚と第２レベリング底脚は、高圧オイル配管群を介して連通装置にそれぞれ連通されて、全てのレベリング底脚の密封室同士の連通を実現しており、前記第１レベリング底脚内の油圧媒体が作用する接触面の面積は、第２レベリング底脚内の油圧媒体が作用する接触面の面積よりも大きい。
【００１６】
更に、全ての前記第１レベリング底脚は連通装置の一方の側に位置しており、全ての前記第２レベリング底脚は連通装置の他方の側に位置している。
【００１７】
更に、前記レベリング装置は、１つの第１レベリング底脚と、少なくとも２つの第２レベリング底脚を含み、前記第２レベリング底脚は、それぞれ高圧オイル配管群を介して第１レベリング底脚と連通しており、前記第１レベリング底脚内の油圧媒体が作用する接触面の面積は、第２レベリング底脚内の油圧媒体が作用する接触面の面積よりも大きい。
【００１８】
更に、前記第１レベリング底脚のシリンダ内径ｄ１と第２レベリング底脚のシリンダ内径ｄ２は、前記第１レベリング底脚が受ける圧力をＦＡ、第２レベリング底脚が受ける圧力をＦＢとし、ＦＡ＝λＦＢである場合に、
2019527324.tif 000003
を満たす。
【００１９】
また、本発明の第２の目的は、上述した家電製品のレベリング装置を備える家電製品を提供することである。
【発明の効果】
【００２０】
本発明における家電製品のレベリング装置は、油圧の原理に基づく。底脚には油圧媒体が充填されているため、圧力の違いに応じて、底脚は油圧媒体の流動性により適応的な調整を自動的に実施する。また、高圧オイル配管群を介して連通するレベリング底脚内の油圧媒体が作用する接触面の面積は互いに等しくない。そのため、重心が幾何中心に位置しない家電製品を自動レベリングする場合には、油圧媒体が作用する接触面の面積が大きいレベリング底脚を、家電製品の重心が偏っている側の一端に設ければよい。これにより、各レベリング底脚は受ける力が均一となるため、レベリング後に家電製品が全体として水平状態となる。
【００２１】
したがって、本発明における家電製品のレベリング装置は、重心が幾何中心と一致しない家電製品に一層適している。レベリング装置における各レベリング底脚が受ける力はレベリング後に均一となるため、レベリング装置の使用寿命が保証される。且つ、レベリング装置における各レベリング底脚の伸縮量はレベリング後に略等しくなるため、家電製品全体の水平状態が保証される。よって、家電製品における内部機構の動作の安定性がより強化される。
【図面の簡単な説明】
【００２２】
【図１】図１は、本発明の実施例におけるレベリング装置の構造を示す図である。
【図２】図２は、本発明の実施例におけるレベリング装置の設置方式１を示す図である。
【図３】図３は、本発明の実施例におけるレベリング装置の設置方式２を示す図である。
【図４】図４は、本発明の実施例におけるレベリング装置の設置方式２を示す図である。
【図５】図５は、本発明の実施例におけるレベリング装置の設置方式３による水平配置を示す図である。
【図６】図６は、本発明の他の実施例におけるレベリング装置の構造を示す図である。
【図７】図７は、本発明の他の実施例におけるレベリング装置の装着を示す図である。
【図８】図８は、本発明の他の実施例におけるレベリング装置の装着を示す図である。
【図９】図９は、本発明の他の実施例におけるレベリング装置の装着を示す図である。
【発明を実施するための形態】
【００２３】
以下に、図面を組み合わせて、本発明における家電製品のレベリング装置及び当該装置を備える家電製品につき詳細に述べる。
【実施例１】
【００２４】
本実施例における家電製品のレベリング装置は、家電製品の底部に装着される少なくとも２つのレベリング底脚を含む。前記レベリング底脚は固定部と可動部を含む。固定部は家電製品の底部に装着される。また、可動部の一端は伸縮可能に固定部の内／外に嵌設され、他端は支持面に設けられる。前記固定部と可動部の間には密封室が備わっており、密封室には油圧媒体が充填されている。少なくとも２つの前記レベリング底脚間は、高圧オイル配管群を介して密封室が連通している。圧力が作用すると、前記油圧媒体が互いに連通するレベリング底脚の密封室間を流動することで、可動部が油圧媒体の流動に伴い伸縮して自動レベリングを行う。高圧オイル配管群を介して連通する前記レベリング底脚内の油圧媒体が作用する接触面の面積は互いに等しい。
【００２５】
本実施例のレベリング底脚は、油圧の原理によって自動レベリング機能を実現可能である。以下に、具体的に述べる。
【００２６】
図１は、可動部材Ａ０１がシリンダＡ０２内で運動自在なレベリング底脚の初期状態を示す。最大ストロークはｈ＋ｈ１である。且つ、可動部材Ａ０１とシリンダＡ０２間は液漏れしないよう密封されている。また、レベリング底脚Ａ１とレベリング底脚Ａ２は、高圧オイル配管群２００を介してしっかりと密封接続されている。各レベリング底脚のシリンダＡ０２には、例えばシリンダの高さがｈとなる容積の一定量の作動油が充填されている。また、各高圧オイル配管群２００には作動油が充満している。
【００２７】
パスカルの原理に基づくと、密閉容器である接続された２つのレベリング底脚のシリンダＡ０２及び高圧オイル配管群２００内において、静止する液体に加えられた圧力の強さは等しい値で各点に同時に伝わる。流体力学では、液体の流動性によって、密封容器内における静止流体のどこか一部に発生した圧力の強さの変化は、大きさを変えることなく各方向に伝達される。そのため、レベリング底脚Ａ１のシリンダにおける作動油に加えられた圧力の強さがレベリング底脚Ａ２のシリンダにおける作動油の圧力の強さと異なる場合、作動油は圧力の強さが大きなレベリング底脚から圧力の強さが小さなレベリング底脚へと流動する。これにより、レベリング底脚が自動的に圧縮又は短縮を実現することで、圧力の強さが等しくなる。原理的に、２つの底脚は最大２倍のｈ１の水平調節を実現可能である。
【００２８】
図２は、レベリング底脚が均一に重量を受け、且つ水平に設置されるレベリング底脚の設置方式１を示している。
【００２９】
家電製品の重心が当該電気製品の幾何中心に位置しており、且つ、各レベリング底脚が当該物体に均一に分布するよう装着されているならば、レベリング底脚Ａ１とレベリング底脚Ａ２が受ける圧力は等しく、ＦＡ＝ＦＢとなる。また、可動部材Ａ０１の直径がいずれも等しければ、レベリング底脚Ａ１及びレベリング底脚Ａ２の可動部材Ａ０１と作動油との接触面積はＳＡ＝ＳＢとなる。当該家電製品が水平面上に位置する場合には、
2019527324.tif 000004
となるため、作動油の２か所における圧力の強さが等しくなり、作動油が流動しなくなる結果、初期状態が維持される。
【００３０】
図３及び図４は、レベリング底脚が均一に重量を受け、且つ非水平に設置されるレベリング底脚の設置方式２を示している。
【００３１】
レベリング底脚Ａ２が深さｈ２の窪みに位置するというように、同一平面に位置せず、レベリング底脚Ａ１が先に力を受ける場合であっても、レベリング底脚Ａ１のシリンダＡ０２における作動油の圧力の強さが高まることで作動油がレベリング底脚Ａ２に流動するため、レベリング底脚Ａ１の可動部材Ａ０１がｈ２／２だけ圧縮されて、レベリング底脚Ａ１の可動部材Ａ０１がｈ２／２だけ伸長する。これにより、レベリング底脚が均一に重量を受けるため、レベリング底脚Ａ１とレベリング底脚Ａ２が受ける圧力はＦＡ＝ＦＢと等しくなる。また、可動部材の直径はいずれも等しいことから、レベリング底脚Ａ１及びレベリング底脚Ａ２の可動部材と作動油との接触面積はＳＡ＝ＳＢとなる。このように、当該家電製品は水平面上に位置しない場合であっても、
2019527324.tif 000005
となるため、作動油の２か所における圧力の強さが等しくなり、作動油が流動しなくなる結果、水平状態が維持される。
【００３２】
図５は、レベリング底脚が均一に重量を受け、且つ水平又は非水平に設置されるレベリング底脚の設置方式３を示している。
【００３３】
図５に示すように、同一水平面に位置していたとしても、支える物体の重心が当該物体の幾何中心に位置しないことがある。また、レベリング底脚が均一に配置されていたとしても、レベリング底脚が受ける力がレベリング底脚Ａ２の２倍、即ちＦＡ＝２ＦＢというように、レベリング底脚のいずれかに大きな力がかかる場合もある。可動部材の直径がいずれも等しければ、レベリング底脚Ａ１及びレベリング底脚Ａ２の可動部材Ａ０１と作動油との接触面積はＳＡ＝ＳＢとなり、圧力の強さはＰＡ＝２ＰＢとなるため、
2019527324.tif 000006
となる。結果、レベリング底脚Ａ１における作動油の圧力の強さはレベリング底脚Ａ２における作動油の圧力の強さの２倍となり、レベリング底脚Ａ１のシリンダＡ０２内における作動油の液位が上がって、レベリング底脚Ａ１が圧縮によりｈ３だけ収縮するとともに、レベリング底脚Ａ２がｈ３だけ伸長するまで、作動油はレベリング底脚Ａ１からレベリング底脚Ａ２まで流動する。この場合、レベリング底脚Ａ１とレベリング底脚Ａ２には液面の高さの違いにより油圧差が形成されるため、作動油の２か所における圧力の強さは等しく、
2019527324.tif 000007
となる。即ち、
2019527324.tif 000008
となる。これにより、作動油は流動しなくなるが、底脚の高さは一致しないため、当該物体の自動レベリングは実現不可能である。
【実施例２】
【００３４】
従来の家電製品の場合、重心が幾何中心に位置するものは大変少なく、大部分は重心が幾何中心に位置していない。よって、全体として次のような局面が招来される。即ち、水平面に位置する場合には、油圧が受ける圧力の違いによって底脚の高さが異なることで、底脚上方の家電製品が全体として傾いた状態となる。この状況では、底脚Ａが受ける物体重量の割合が大きくなる。且つ、このような状況は段差に位置する場合により深刻となる。
【００３５】
重心が幾何中心に位置しない家電製品に対して上記のレベリング底脚を更に適応させ、レベリング底脚が受ける力が不均一になるとの状況を解決するために、本実施例では以下の技術方案を提供する。
【００３６】
本実施例における家電製品のレベリング装置は、家電製品の底部に装着される少なくとも２つのレベリング底脚を含む。前記レベリング底脚は固定部と可動部を含む。固定部は家電製品の底部に装着される。また、可動部の一端は伸縮可能に固定部の内／外に嵌設され、他端は支持面に設けられる。前記固定部と可動部の間には密封室が備わっており、密封室には油圧媒体が充填されている。少なくとも２つの前記レベリング底脚間は、高圧オイル配管群を介して密封室が連通している。圧力が作用すると、前記油圧媒体が互いに連通するレベリング底脚の密封室間を流動することで、可動部が油圧媒体の流動に伴い伸縮して自動レベリングを行う。高圧オイル配管群を介して連通する前記レベリング底脚内の油圧媒体が作用する接触面の面積は互いに等しくない。
【００３７】
本実施例における家電製品のレベリング装置は、油圧の原理に基づく。底脚には油圧媒体が充填されているため、圧力の違いに応じて、底脚は油圧媒体の流動性により適応的な調整を自動的に実施する。また、高圧オイル配管群を介して連通するレベリング底脚内の油圧媒体が作用する接触面の面積は互いに等しくない。そのため、重心が幾何中心に位置しない家電製品を自動レベリングする場合には、油圧媒体が作用する接触面の面積が大きいレベリング底脚を、家電製品の重心が偏っている側の一端に設ければよい。これにより、各レベリング底脚は受ける力が均一となるため、レベリング後に家電製品が全体として水平状態となる。
【００３８】
したがって、本実施例における家電製品のレベリング装置は、重心が幾何中心と一致しない家電製品に一層適している。レベリング装置における各レベリング底脚が受ける力はレベリング後に均一となるため、レベリング装置の使用寿命が保証される。且つ、レベリング装置における各レベリング底脚の伸縮量はレベリング後に略等しくなるため、家電製品全体の水平状態が保証される。よって、家電製品における内部機構の動作の安定性がより強化される。
【００３９】
更に、本実施例における高圧オイル配管群を介して連通する前記レベリング底脚内の油圧媒体が作用する接触面の面積は、受ける圧力の値に正比例させる。これによれば、大きな圧力を支えようとするレベリング底脚については、内部の油圧媒体が作用する接触面の面積も大きくなるため、高圧オイル配管群を介して連通するレベリング底脚内の圧力の強さが等しい場合、即ち、レベリング状態に達したときに、可動部の伸縮量が互いに等しいか近似するため、家電製品の水平が確保される。
【００４０】
具体的に、本実施例で記載する固定部はシリンダであり、前記可動部はプランジャ構造である。また、シリンダは内部に中空室を備える。プランジャ構造は一端にプランジャを備える。プランジャは相対的に摺動可能に中空室に設けられるとともに、密封を維持して密封室を形成する。また、プランジャ構造は他端に支持体を備える。支持体は支持面に設けられている。高圧オイル配管群を介して連通する前記レベリング底脚のシリンダの内径は互いに等しくない。本実施例では、シリンダの内径が異なるように設計しており、且つ、プランジャ構造のプランジャとシリンダを密封接続していることから、プランジャ構造のプランジャもまた互いに等しくはない。よって、最終的に実現されるレベリング底脚内の油圧媒体が作用する接触面の面積は互いに等しくない。
【００４１】
油圧媒体が作用する接触面の面積は、最終的にはシリンダの内径により表される。よって、高圧オイル配管群を介して連通する前記レベリング底脚のシリンダの内径は、受ける圧力の値に正比例させる。
【００４２】
図６に示すように、本実施例における家電製品のレベリング装置は、第１レベリング底脚１００と、高圧オイル配管群２００を介して連通する第２レベリング底脚３００を含む。第１レベリング底脚１００は、第１シリンダ１０２と第１プランジャ構造１０１を含む。第１シリンダ１０２は内部に中空室を備える。第１プランジャ構造１０１は一端に第１プランジャを備える。第１プランジャは、相対的に摺動可能に中空室に設けられるとともに、密封を維持して密封室を形成する。また、第１プランジャ構造１０１は他端に第１支持体１０３を備える。第１支持体１０３は支持面に設けられている。第２レベリング底脚３００は、第２シリンダ３０２と第２プランジャ構造３０１を含む。第２シリンダ３０２は内部に中空室を備える。第２プランジャ構造３０１は一端に第１プランジャを備える。第１プランジャは、相対的に摺動可能に中空室に設けられるとともに、密封を維持して密封室を形成する。また、第２プランジャ構造３０１は他端に第２支持体３０３を備える。第２支持体３０３は支持面に設けられている。前記第１レベリング底脚１００の第１シリンダ１０２の内径は、第２レベリング底脚３００の第２シリンダ３０２の内径よりも大きい。
【００４３】
本実施例のレベリング装置は、家電製品の実際の重心に応じて装着される。家電製品の重心が幾何中心と一致しない場合には、第１レベリング底脚１００をより重心寄りに装着すればよい。これにより、各レベリング底脚は受ける力が均一となるため、家電製品はレベリング後に可能な限り全体的な水平状態を維持可能となる。
【００４４】
図７に示すように、本実施例で記載するレベリング装置は、第１レベリング底脚１００と、第２レベリング底脚３００を含む。第１レベリング底脚１００と第２レベリング底脚３００は、高圧オイル配管群２００を介して連通している。前記第１レベリング底脚１００内の油圧媒体が作用する接触面の面積は、第２レベリング底脚３００内の油圧媒体が作用する接触面の面積よりも大きい。
【００４５】
具体的に、ドラム洗濯機の場合を例示すると、ドラム体は底の外側に駆動モータが装着されているため、ドラム洗濯機の全体の重心はドラム体の底側に偏っている。そのため、洗濯機のハウジング７００の底板７０１には２つの前記レベリング装置を装着するが、第１レベリング底脚１００についてはドラム体の底側寄りに装着し、第２レベリング底脚３００はドラム体の入口寄りに装着する。
【００４６】
図８に示すように、本実施例で記載するレベリング装置は、少なくとも２つの第１レベリング底脚１００と、少なくとも２つの第２レベリング底脚３００を含む。第１レベリング底脚１００と第２レベリング底脚３００は、高圧オイル配管群２００を介して連通装置６００にそれぞれ連通されて、全てのレベリング底脚の密封室同士の連通を実現している。前記第１レベリング底脚１００内の油圧媒体が作用する接触面の面積は、第２レベリング底脚３００内の油圧媒体が作用する接触面の面積よりも大きい。
【００４７】
更に、全ての前記第１レベリング底脚１００は連通装置６００の一方の側に位置しており、全ての前記第２レベリング底脚３００は連通装置６００の他方の側に位置している。
【００４８】
具体的に、ドラム洗濯機の場合を例示すると、ドラム体は底の外側に駆動モータが装着されているため、ドラム洗濯機の全体の重心はドラム体の底側に偏っている。そのため、洗濯機のハウジング７００の底板７０１には前記レベリング装置を装着するが、２つの第１レベリング底脚１００についてはドラム体の底側寄りに装着し、２つの第２レベリング底脚３００はドラム体の入口寄りに装着する。
【００４９】
これにより、全てのレベリング底脚間において油圧媒体の流動が実現されるため、調整範囲がより広がり、調整効果も一層良好となる。
【００５０】
図９に示すように、本実施例で記載するレベリング装置は、１つの第１レベリング底脚１００と、少なくとも２つの第２レベリング底脚３００を含む。前記第２レベリング底脚３００は、それぞれ高圧オイル配管群２００を介して第１レベリング底脚１００と連通している。前記第１レベリング底脚１００内の油圧媒体が作用する接触面の面積は、第２レベリング底脚３００内の油圧媒体が作用する接触面の面積よりも大きい。これによれば、第１レベリング底脚１００は、実際の使用状況に応じて第２レベリング底脚３００に対し、レベリング底脚が受ける力が均一となるよう保証可能なため、家電製品が水平状態となり、一層安定する。
【００５１】
本実施例の好ましい実施形態として、前記第１レベリング底脚のシリンダ内径ｄ１と第２レベリング底脚のシリンダ内径ｄ２は、前記第１レベリング底脚が受ける圧力をＦＡ、第２レベリング底脚が受ける圧力をＦＢとし、ＦＡ＝λＦＢである場合に、
2019527324.tif 000009
を満たす。本実施例は、圧力の強さと圧力及び受ける力の関係に基づいて、公式からレベリング底脚の設計について理論的根拠を導き出した。本実施例は実際の家電製品の種類や設置環境要求に応じて選択すればよく、より実用的であるとともに、一層効果的である。
【００５２】
更に多くの家電製品において、モータの装着や重りの装着など一連の構造設計に応じて、家電製品の底部に装着される各レベリング底脚が受ける力は異なってくる。例えば、ドラム洗濯機の場合には、モータがドラム体の底の外側に装着され、乾燥機能付きドラム洗濯機の加熱モジュールもまたハウジングの後側に配置される。よって、前後のレベリング底脚が受ける力は、後側のレベリング底脚の方が前側のレベリング底脚よりも大きいというように一様ではない。
【００５３】
図６に示すように、後側のレベリング底脚を第１レベリング底脚１００、前側のレベリング底脚を第２レベリング底脚３００とする。仮に、我々の分析によれば、第１レベリング底脚１００が受ける圧力は第２レベリング底脚３００の２倍、即ちＦＡ＝２ＦＢであったため、構造設計によって、大きな力を受ける第１レベリング底脚１００の第１シリンダ１０２及び第１プランジャの直径を、第２レベリング底脚３００の第２シリンダ３０２及び第２プランジャの直径の√２倍とした。即ち、第１レベリング底脚１００及び第２レベリング底脚３００のプランジャ構造と油圧媒体との接触面積をＳＡ＝２ＳＢとしたところ、圧力の強さはＰＡ＝ＰＢとなった。即ち、
2019527324.tif 000010
となった。これにより、作動油の２か所における圧力の強さが等しくなり、油圧媒体が流動しなくなった結果、水平状態が維持された。上述したように、仮に床面に凹凸があったとしても、油圧媒体がレベリング底脚間で流動し、圧力の強さを等しくすることで、支持する家電製品は水平を維持可能となる。
【００５４】
洗濯機のハウジング７０１は、更にフロントパネル７０２を含み、フロントパネル７０２に制御パネル５００が設けられている。本実施例の第１レベリング底脚１００は、プロントパネル７０２寄りに設けられている。
【００５５】
本発明の実施例では洗濯機を例示し、本発明において洗濯機の自動レベリングを実現する原理と方法について詳述したが、容易に連想可能なように、本発明は、冷蔵庫、冷凍庫、食洗器等の家電製品にも応用可能である。
【００５６】
また、本発明は、上述した家電製品のレベリング装置を備える家電製品を提供する。
【００５７】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００５８】
１００  第１レベリング底脚
１０１  第１プランジャ構造
１０２  第１シリンダ
１０３  第１支持体
２００  高圧オイル配管群
３００  第２レベリング底脚
３０１  第２プランジャ構造
３０２  第２シリンダ
３０３  第２支持体
４００  油圧媒体
５００  制御パネル
６００  連通装置
７００  ハウジング
７０１  底板
７０２  フロントパネル
【図１】
2019527324.tif 000012
【図２】
2019527324.tif 000013
【図３】
2019527324.tif 000014
【図４】
2019527324.tif 000015
【図５】
2019527324.tif 000016
【図６】
2019527324.tif 000017
【図７】
2019527324.tif 000018
【図８】
2019527324.tif 000019
【図９】
2019527324.tif 000020
【国際調査報告】
2019527324.tif 000021
2019527324.tif 000022
2019527324.tif 000023
2019527324.tif 000024